(57)【要約】【課題】計器用表示板を透過照明する光源の点燈と消燈の切替によって表示切替が可能であって、点燈時において互いに異なる色で表示意匠を表示可能な計器用表示板を提供する。【解決手段】計器用表示板１は、光透過性を有する基板２と、基板２に形成され、光透過性を有して表示意匠を表示する表示層３２、３３と、基板２において表示層３２、３３の目視側に表示層３２、３３を覆うように形成され、光透過性と光反射性とを有する半透光層３４とを備える。これにより、計器用表示板を透過照明する光源の点燈と消燈の切替によって表示切替が可能であって、点燈時において互いに異なる色で表示意匠を表示可能な計器用表示板を提供できる。【選択図】図３
2009068860.tif 000002
【特許請求の範囲】
【請求項１】
光透過性を有する基板と、
前記基板に形成され、光透過性を有して表示意匠を表示する表示層と、
前記基板において前記表示層の目視側に前記表示層を覆うように形成され、光透過性と光反射性とを有する半透光層とを備えることを特徴とする計器用表示板。
【請求項２】
前記表示層と前記半透光層は、前記表示意匠の形状で形成されていることを特徴とする請求項１に記載の計器用表示板。
【請求項３】
光透過性を有する凸部が前記基板の目視側前面に形成され、
前記表示層は、前記基板の背面において前記凸部の背面側と前記凸部の頂面の一方に形成されていることを特徴とする請求項１または請求項２に記載の計器用表示板。
【請求項４】
前記目視側前面に形成され、前記凸部の背景を構成する背景層と、
前記凸部の側面に形成された側面層とを備えることを特徴とする請求項３に記載の計器用表示板。
【請求項５】
前記基板の目視側前面に凹部が形成され、
前記表示層は、前記基板の背面において前記凹部の背面側と前記凹部の底面の一方に形成されていることを特徴とする請求項１または請求項２に記載の計器用表示板。
【請求項６】
前記目視側前面に形成され、前記凹部の背景を構成する背景層と、
前記凹部の側面に形成された側面層とを備えることを特徴とする請求項５に記載の計器用表示板。
【請求項７】
前記半透光層は、金属調の表示色を有することを特徴とする請求項１ないし請求項６のいずれか一項に記載の計器用表示板。
【発明の詳細な説明】
【技術分野】
【０００１】
本発明は、透過照明用の光源の点燈と消燈の切替によって表示切替が可能な計器用表示板に関するものである。
【背景技術】
【０００２】
近年、計器用表示板の見映えを向上させるため、様々な方法が提案されている。例えば、透過照明用の光源の点燈と消燈の切替によって表示切替が可能な計器用表示板が開示されている（特許文献１を参照）。
【０００３】
この計器用表示板は、透光性基板と、透光性基板の目視側前面に形成され、表示意匠の形状の開口を有する遮光層と、透光性基板の背面において開口の背後側に設けられ、透光性基板の側端面から導入された光源の光を光透過部へ反射するシボ面と、シボ面より背後に配置された金属調の金属調層とを備える。
【０００４】
光源を点燈すると、透光性基板の側端面から導入された光源の光は、シボ面で反射して反射光が開口から目視側へ透過するため、シボ面での反射光によって開口が発光表示する。一方、光源を消燈すると、金属調層で反射した外来光が、シボ面を通して開口から目視側へ透過するため、金属調層での反射光によって開口が金属調に表示される。
【０００５】
これにより、計器用表示板を透過照明する光源の点燈と消燈の切替によって、表示意匠の形状の開口を、シボ面での反射光による表示と、金属調層での反射光による金属調の表示との間で、表示を切り替えることができる。したがって、計器用表示板を透過照明する光源の点燈と消燈の切替によって表示意匠の表示切替ができる。
【特許文献１】特開２００７−４６９８７号公報
【発明の開示】
【発明が解決しようとする課題】
【０００６】
しかし、特許文献１では、点燈時において、表示意匠を、互いに異なる色で表示することが困難である。例えば、点燈時において、文字を表す開口を白色で表示し、目盛を表す開口を赤色で表示したい場合、目盛を表す開口に対応するシボ面の背面に、赤色の光透過層を形成することが考えられる。
【０００７】
しかし、点燈時の表示は、シボ面での反射光と、シボ面を透過して光透過層で反射した赤色反射光とが混合した反射光となるため、白色と混じった朱色調のぼやけた赤色の表示となる。一方、光源の消燈時の表示は、金属調層で反射した外来光が光透過層を透過することにより、金属調の表示に赤色が混入した表示となる。このため、光源の点燈時と消燈時の両方の表示に、赤色が混入して、この表示の切り替えが、朱色調のぼやけた白色になってしまう。したがって、点燈時において、表示意匠を、互いに異なる色で表示することが困難になっている。
【０００８】
本発明は、このような事情を考慮してなされたものであり、計器用表示板を透過照明する光源の点燈と消燈の切替によって表示切替が可能であって、点燈時において互いに異なる色で表示意匠を表示可能な計器用表示板を提供することを目的とする。
【課題を解決するための手段】
【０００９】
本発明は上記目的を達成するため、以下の技術的手段を採用する。
【００１０】
請求項１に記載の計器用表示板は、光透過性を有する基板と、基板に形成され、光透過性を有して表示意匠を表示する表示層と、基板において表示層の目視側に表示層を覆うように形成され、光透過性と光反射性とを有する半透光層とを備えることを特徴とする。
【００１１】
この構成では、光透過性を有して表示意匠を表示する表示層の目視側に、表示層を覆うように半透光層が形成されているため、計器用表示板を透過照明する光源の光は、表示層を透過照明し、この透過照明光が半透光層を透過する。これにより、光源の点燈時には、表示色が互いに異なる表示層を、互いに異なる表示色の表示意匠として表示することができる。
【００１２】
また、計器用表示板を透過照明する光源の消燈時には、外来光が、半透光層によって反射して、半透光層を表示させる。したがって、光源の点燈と消燈の切替によって、表示層による表示と半透光層による表示の間で表示切替が可能になる。
【００１３】
これらの結果、計器用表示板を透過照明する光源の点燈と消燈の切替によって表示切替が可能であって、点燈時において互いに異なる色で表示意匠を表示可能な計器用表示板を提供できる。
【００１４】
請求項２に記載の計器用表示板は、表示層と半透光層は、表示意匠の形状で形成されていることを特徴とする。これにより、計器用表示板を透過照明する光源の点燈と消燈の切替によって、表示意匠の形状を切り替えないで、表示層による表示と半透光層による表示の間で表示切替が可能になる。
【００１５】
請求項３に記載の計器用表示板は、光透過性を有する凸部が基板の目視側前面に形成され、表示層が、基板の背面において凸部の背面側と凸部の頂面の一方に形成されていることを特徴とする。これにより、計器用表示板を透過照明する光源の光を、凸部の頂面から出射させることが可能になるため、上述の効果を得つつ、凸部によって表示意匠を立体的に表示することが可能になる。
【００１６】
請求項４に記載の計器用表示板は、目視側前面に形成され、凸部の背景を構成する背景層と、凸部の側面に形成された側面層とを備えることを特徴とする。これにより、凸部をより立体的に表示することが可能になる。
【００１７】
請求項５に記載の計器用表示板は、基板の目視側前面に凹部が形成され、表示層が、基板の背面において凹部の背面側と凹部の底面の一方に形成されていることを特徴とする。これにより、計器用表示板を透過照明する光源の光を、凹部の底面から出射させることが可能になるため、凹部によって表示意匠を立体的に表示することが可能になる。
【００１８】
請求項６に記載の計器用表示板は、目視側前面に形成され、凹部の背景を構成する背景層と、凹部の側面に形成された側面層とを備えることを特徴とする。これにより、凹部をより立体的に表示することが可能になる。
【００１９】
請求項７に記載の計器用表示板は、半透光層が、金属調の表示色を有することを特徴とする。これにより、計器用表示板を透過照明する光源の消燈時の表示を、金属調の高級感ある表示にすることが可能になる。
【発明を実施するための最良の形態】
【００２０】
以下、本発明による計器用表示板を、自動車に搭載されるコンビネーションメータに適用した場合を例に図面に基づいて説明する。
【００２１】
図１に示すコンビネーションメータ１０は、当該自動車の走行速度を表示する速度計を構成し、本発明の一実施形態による計器用表示板である文字盤１と、指針２０とを備える。指針２０は、文字盤１の目視側前面に沿って回動し、文字盤１は、表示意匠である文字の形状で形成された凸部である第１凸部４と、表示意匠である目盛の形状で形成された凸部である第２凸部５とを備える。コンビネーションメータ１０は、文字盤１と、第１凸部４と第２凸部５とを指し示して回動する指針２０とによって、走行速度を表示する。
【００２２】
文字盤１は、図３に示すように、基板２と、第１凸部４と、第２凸部５と、背景層である第１背景層３１と、側面層４２と、表示層である文字層３２と、表示層である目盛層３３と、半透光層であるハーフミラー層３４とを備える。
【００２３】
基板２と第１凸部４と第２凸部５は、光透過性を有し、基板２は、例えば無色透明のポリカーボネート樹脂等から形成される。第１凸部４と第２凸部５は、基板２の目視側前面２１にデジタル印刷によって、例えば無色透明のアクリル樹脂等から形成される。デジタル印刷は、インクジェットプリントとも呼ばれ、例えば無色透明なアクリル樹脂系のインクを、図示しないヘッドに設けられているノズルと呼ばれる小さな穴から、ピエゾジェット方式やサーマルジェット方式で小さなドットとして繰り返し発射する印刷方式である。
【００２４】
このため、デジタル印刷は、様々な立体構造体に対して、様々な形状で印刷することが可能となる。また、デジタル印刷は、小さなドットを繰り返し積み上げることが可能であるため、スクリーン印刷やパッド印刷等と比較して、より厚さのある形状で印刷することが可能となる。
【００２５】
尚、第１凸部４と第２凸部５を、基板２と一体的に樹脂成形で形成することも可能であるが、この製法と比較して、デジタル印刷によれば、様々な形状で第１凸部４と第２凸部５を簡易に形成することが可能になる。
【００２６】
第１凸部４と第２凸部５の背景を構成する第１背景層３１は、例えば、遮光性の濃いグレーの背景層であり、基板２の目視側前面２１にデジタル印刷によって形成される。尚、第１凸部４と第２凸部５を形成する前に第１背景層３１を形成する場合、スクリーン印刷等によって、第１背景層３１を形成できる。この場合、スクリーン印刷等によって第１背景層３１を形成した後、デジタル印刷によって第１凸部４と第２凸部５を形成する。
【００２７】
側面層４２，５２は、例えば、遮光性のシルバー色であり、デジタル印刷によって、それぞれ、第１凸部４の側面４１と第２凸部５の側面５１に形成される。
【００２８】
文字を表示する文字層３２は、光透過性の例えば白色を有し、基板２の背面２２において第１凸部４の背面側に、第１凸部４の頂面４３より大きい形状で形成され、目盛を表示する目盛層３３は、光透過性の例えば赤色を有し、基板２の背面２２において第２凸部５の背面側に、第２凸部５の頂面５３より大きい形状で形成される。ハーフミラー層３４は、光透過性と光反射性とを有すると共に、金属調の表示色を有し、基板２において文字層３２と目盛層３３の目視側に、それぞれ、文字層３２と目盛層３３を覆うように形成される。背面２２において文字層３２と目盛層３３とハーフミラー層３４の背景部を覆うように、例えば黒色の第２背景層３５が形成される。
【００２９】
これらを、第１背景層３１と第１凸部４と第２凸部５と側面層４２，５２とを形成した後に、形成することも可能であるが、第１背景層３１と第１凸部４と第２凸部５と側面層４２，５２とを形成する前に、形成することも可能である。具体的には、ハーフミラー層３４を形成し、ハーフミラー層３４上に文字層３２と目盛層３３を形成し、文字層３２と目盛層３３とハーフミラー層３４の背景部を覆うように、第２背景層３５を形成する。これらは、スクリーン印刷等によって形成される。
【００３０】
文字層３２とこの上に形成されたハーフミラー層３４は、文字の形状で目視されるように形成される。具体的に、文字層３２とこの上に形成されたハーフミラー層３４が第１凸部４の頂面４３より大きい形状で形成されているが、第１背景層３１と側面層４２によって遮光されている。このため、文字層３２とハーフミラー層３４は、第１背景層３１と側面層４２の開口を通して、即ち、第１凸部４の頂面４３を通して文字の形状で目視される。つまり、文字層３２とこの上に形成されたハーフミラー層３４は、第１背景層３１と側面層４２によって文字の形状で基板２に形成されているといえる。
【００３１】
目盛層３３とこの上に形成されたハーフミラー層３４は、目盛の形状で目視されるように形成される。具体的に、目盛層３３とこの上に形成されたハーフミラー層３４が第２凸部５の頂面５３より大きい形状で形成されているが、第１背景層３１と側面層５２によって遮光されている。このため、目盛層３３とハーフミラー層３４は、第１背景層３１と側面層５２の開口を通して、即ち、第２凸部５の頂面５３を通して目盛の形状で目視される。つまり、目盛層３３とこの上に形成されたハーフミラー層３４は、第１背景層３１と側面層５２によって目盛の形状で基板２に形成されているといえる。
【００３２】
ここで、文字盤１を透過照明する発光ダイオード３０が、文字盤１の背後に配置されて、プリント基板４０に実装されている。発光ダイオード３０が発した例えば白色光は、光路Ｐ１にしたがって、文字層３２を透過照明し、この透過照明光が、ハーフミラー層３４と基板２と第１凸部４を透過する。これにより、文字層３２は、第１凸部４の頂面４３を通して文字の形状で、白色に発光表示される。また、発光ダイオード３０が発した白色光は、光路Ｐ２にしたがって、目盛層３３を透過照明し、この透過照明光が、ハーフミラー層３４と基板２と第２凸部５を透過する。これにより、目盛層３３は、第２凸部５の頂面５３を通して目盛の形状で、赤色に発光表示される。
【００３３】
したがって、発光ダイオード３０の点燈時には、白色の文字層３２と赤色の目盛層３３を、互いに異なる白色の文字と赤色の目盛として表示することができる。
【００３４】
一方、発光ダイオード３０の消燈時には、外来光が、ハーフミラー層３４によって反射して、この反射光が、基板２と第１凸部４、および、基板２と第２凸部５を透過する。基板２と第１凸部４の透過光によって、ハーフミラー層３４は、第１凸部４の頂面４３を通して文字の形状で、金属調に表示される。また、基板２と第２凸部５の透過光によって、ハーフミラー層３４は、第２凸部５の頂面５３を通して目盛の形状で、金属調に表示される。したがって、発光ダイオード３０の点燈と消燈の切替によって、それぞれ、文字の形状と目盛の形状を切り替えないで、文字層３２や目盛層３３による表示とハーフミラー層３４による表示の間で表示切替が可能になる。
【００３５】
これらの結果、発光ダイオード３０の点燈と消燈の切替によって文字層３２や目盛層３３による表示とハーフミラー層３４による表示の間で表示切替が可能であって、発光ダイオード３０の点燈時において、白色の文字層３２と赤色の目盛層３３を、互いに異なる白色の文字と赤色の目盛として発光表示することができる。
【００３６】
また、凸部４，５によって文字と目盛を立体的に表示することが可能になる。また、第１背景層３１と側面層４２，５２によって凸部４，５をより立体的に表示することが可能になり、この結果、文字と目盛をより立体的に表示することが可能になる。
【００３７】
また、発光ダイオード３０の消燈時の文字と目盛の表示を、金属調の高級感ある表示にすることが可能になる。
【００３８】
以上、本実施形態による計器用表示板である文字盤１は、光透過性を有する基板２と、基板２に形成され、光透過性を有して表示意匠である文字と目盛を表示する表示層である文字層３２と目盛層３３と、基板２において文字層３２と目盛層３３の目視側に文字層３２と目盛層３３を覆うように形成され、光透過性と光反射性とを有する半透光層であるハーフミラー層３４とを備える。
【００３９】
これにより、計器用表示板を透過照明する光源の点燈と消燈の切替によって表示切替が可能であって、点燈時において互いに異なる色で表示意匠を表示可能な計器用表示板を提供できる。
【００４０】
（第１変形例）
第１変形例では、第１凸部４と第２凸部５の代わりに、図４に示すように、文字の形状で形成された凹部である第１凹部６と、目盛の形状で形成された凹部である第２凹部７とが、透光性を有する基板２と一体的に樹脂成形によって基板２の目視側前面２１に形成される。
【００４１】
第１凹部６と第２凹部７の背景を構成する第１背景層３１は、例えば、遮光性の濃いグレーの背景層であり、基板２の目視側前面２１にスクリーン印刷等によって形成される。側面層６２，７２は、例えば、遮光性のシルバー色であり、デジタル印刷によって、それぞれ、第１凹部６の側面６１と第２凹部７の側面７１に形成される。
【００４２】
文字層３２は、光透過性の例えば白色を有し、基板２の背面２２において第１凹部６の背面側に、第１凹部６の底面６３より大きい形状で形成され、目盛層３３は、光透過性の例えば赤色を有し、基板２の背面２２において第２凹部７の背面側に、第２凹部７の底面７３より大きい形状で形成される。ハーフミラー層３４は、基板２において文字層３２と目盛層３３の目視側に、それぞれ、文字層３２と目盛層３３を覆うように形成される。背面２２において文字層３２と目盛層３３とハーフミラー層３４の背景部を覆うように、例えば黒色の第２背景層３５が形成される。
【００４３】
これらを、第１背景層３１と側面層６２，７２とを形成した後に、形成することも可能であるが、第１背景層３１と側面層６２，７２とを形成する前に、形成することも可能である。
【００４４】
文字層３２とこの上に形成されたハーフミラー層３４は、文字の形状で目視されるように形成される。具体的に、文字層３２とこの上に形成されたハーフミラー層３４が第１凹部６の底面６３より大きい形状で形成されているが、第１背景層３１と側面層６２によって遮光されている。このため、文字層３２とハーフミラー層３４は、第１背景層３１と側面層６２の開口を通して、即ち、第１凹部６の底面６３を通して文字の形状で目視される。つまり、文字層３２とこの上に形成されたハーフミラー層３４は、第１背景層３１と側面層６２によって文字の形状で基板２に形成されているといえる。
【００４５】
目盛層３３とこの上に形成されたハーフミラー層３４は、目盛の形状で目視されるように形成される。具体的に、目盛層３３とこの上に形成されたハーフミラー層３４が第２凹部７の底面７３より大きい形状で形成されているが、第１背景層３１と側面層７２によって遮光されている。このため、目盛層３３とハーフミラー層３４は、第１背景層３１と側面層７２の開口を通して、即ち、第２凹部７の底面７３を通して目盛の形状で目視される。つまり、目盛層３３とこの上に形成されたハーフミラー層３４は、第１背景層３１と側面層７２によって目盛の形状で基板２に形成されているといえる。
【００４６】
発光ダイオード３０が発した例えば白色光は、光路Ｐ３にしたがって、文字層３２を透過照明し、この透過照明光が、ハーフミラー層３４と基板２と第１凹部６を透過する。これにより、文字層３２は、第１凹部６の底面６３を通して文字の形状で、白色に発光表示される。また、発光ダイオード３０が発した白色光は、光路Ｐ４にしたがって、目盛層３３を透過照明し、この透過照明光が、ハーフミラー層３４と基板２と第２凹部７を透過する。これにより、目盛層３３は、第２凹部７の底面７３を通して目盛の形状で、赤色に発光表示される。
【００４７】
したがって、発光ダイオード３０の点燈時には、白色の文字層３２と赤色の目盛層３３を、互いに異なる白色の文字と赤色の目盛として表示することができる。
【００４８】
一方、発光ダイオード３０の消燈時には、外来光が、ハーフミラー層３４によって反射して、この反射光が、基板２と第１凹部６、および、基板２と第２凹部７を透過する。基板２と第１凹部６の透過光によって、ハーフミラー層３４は、第１凹部６の底面６３を通して文字の形状で、金属調に表示される。また、基板２と第２凹部７の透過光によって、ハーフミラー層３４は、第２凹部７の底面７３を通して目盛の形状で、金属調に表示される。
【００４９】
したがって、発光ダイオード３０の点燈と消燈の切替によって、それぞれ、文字の形状と目盛の形状を切り替えないで、文字層３２や目盛層３３による表示とハーフミラー層３４による表示の間で表示切替が可能になる。
【００５０】
これらの結果、発光ダイオード３０の点燈と消燈の切替によって文字層３２や目盛層３３による表示とハーフミラー層３４による表示の間で表示切替が可能であって、発光ダイオード３０の点燈時において、白色の文字層３２と赤色の目盛層３３を、互いに異なる白色の文字と赤色の目盛として発光表示することができる。
【００５１】
また、凹部６，７によって文字と目盛を立体的に表示することが可能になる。また、第１背景層３１と側面層６２，７２によって凹部６，７をより立体的に表示することが可能になり、この結果、文字と目盛をより立体的に表示することが可能になる。
【００５２】
（第２変形例）
上述の例では、凸部４，５や凹部６、７を、表示意匠である文字や目盛の形状で形成したが、これに限らない。例えば、図５と図６に示すように、凸部である第３凸部８を円柱状に形成して、ウォーニングを表示させる窓とすることも可能である。
【００５３】
第３凸部８の背景を構成する第１背景層３１は、例えば、遮光性の濃いグレーの背景層であり、基板２の目視側前面２１にスクリーン印刷等によって形成され、光透過性の第３凸部８は、デジタル印刷によって形成される。側面層８２は、例えば、遮光性のシルバー色であり、デジタル印刷によって、第３凸部８の側面８１に形成される。側面層８２の上面８４を基板２の目視側前面２１に対して傾斜させるように、側面層８２は形成される。
【００５４】
背面２２には、例えば黒色の遮光性であって、表示意匠であるウォーニングのマーク形状の開口３５１を有する第２背景層３５が形成される。ウォーニングを表示する表示層であるウォーニング層３６は、光透過性の例えば赤色を有し、基板２の背面２２において第３凸部８の背面側に、開口３５１を埋めるように形成される。
【００５５】
ハーフミラー層３４は、ウォーニング層３６の目視側に、開口３５１内のウォーニング層３６を覆うように形成される。具体的に、ハーフミラー層３４は、デジタル印刷によって、第３凸部８の頂面８３に形成される。
【００５６】
第２背景層３５とウォーニング層３６を、第１背景層３１と第３凸部８とハーフミラー層３４と側面層８２とを形成した後に、形成することも可能であるが、第１背景層３１と第３凸部８とハーフミラー層３４と側面層８２とを形成する前に、形成することも可能である。
【００５７】
ウォーニング層３６は、ウォーニングのマーク形状で目視されるように形成される。具体的に、ウォーニング層３６は、第２背景層３５によって遮光されているため、開口３５１を通して、ウォーニングのマーク形状で目視される。つまり、ウォーニング層３６は、第２背景層３５によってウォーニングのマーク形状で基板２に形成されているといえる。
【００５８】
ここで、ウォーニング層３６を透過照明する発光ダイオード５０が、各ウォーニング層３６毎に、その背後に配置されて、プリント基板４０に実装されている。発光ダイオード５０が発した例えば白色光は、光路Ｐ５にしたがって、開口３５１内のウォーニング層３６を透過照明し、この透過照明光が、基板２と第３凸部８とハーフミラー層３４を透過する。これにより、ウォーニング層３６は、ウォーニングのマーク形状で、赤色に発光表示される。また、上述したように、図３において、発光ダイオード３０が発した白色光は、光路Ｐ１にしたがって、文字層３２を透過照明し、この透過照明光が、ハーフミラー層３４と基板２と第１凸部４を透過する。これにより、目盛層３３は、第１凸部４の頂面４３を通して文字の形状で、白色に発光表示される。
【００５９】
したがって、発光ダイオード３０、５０の点燈時には、白色の文字層３２と赤色のウォーニング層３６を、互いに異なる白色の文字と赤色のウォーニングとして表示することができる。
【００６０】
一方、発光ダイオード３０、５０の消燈時には、図６において、外来光が、ハーフミラー層３４によって反射して、金属調に表示される。また、上述したように、図３において、外来光が、ハーフミラー層３４によって反射して、この反射光が、基板２と第１凸部４を透過する。基板２と第１凸部４の透過光によって、ハーフミラー層３４は、第１凸部４の頂面４３を通して文字の形状で、金属調に表示される。
【００６１】
したがって、発光ダイオード３０、５０の点燈と消燈の切替によって、文字層３２やウォーニング層３６による表示とハーフミラー層３４による表示の間で表示切替が可能になる。
【００６２】
これらの結果、発光ダイオード３０、５０の点燈と消燈の切替によって文字層３２やウォーニング層３６による表示とハーフミラー層３４による表示の間で表示切替が可能であって、発光ダイオード３０、５０の点燈時において、白色の文字層３２と赤色のウォーニング層３６を、互いに異なる白色の文字と赤色のウォーニングとして発光表示することができる。
【００６３】
また、凸部４，８によって文字とウォーニングを立体的に表示することが可能になる。また、第１背景層３１と側面層４２，８２によって凸部４，８をより立体的に表示することが可能になり、この結果、文字とウォーニングをより立体的に表示することが可能になる。
【００６４】
また、側面層８２の上面８４が基板２の目視側前面２１に対して傾斜しているため、第３凸部８の見映えを高めることができる。
【００６５】
尚、第２背景層３５とウォーニング層３６を、第３凸部８の頂面８３とハーフミラー層３４の間に形成することも可能である。これによっても、上述と同様の効果を得ることができる。
【００６６】
また、上述の例では、図３と図４において、ハーフミラー層３４をスクリーン印刷で形成したが、金属箔ホットスタンプや金属蒸着等で形成することも可能である。
【００６７】
また、図３と図４において、ハーフミラー層３４をスクリーン印刷で形成した場合、ハーフミラー層３４が鏡面状でなくて多少の梨地状になる場合がある。しかし、この場合は、基板２の背面２２を鏡面状にすることで、ハーフミラー層３４の鏡面感を確保することが可能になり、発光ダイオード３０の消燈時の文字と目盛の表示を、金属調の高級感ある表示にすることが可能になる。
【００６８】
また、図３において、文字層３２とハーフミラー層３４を、第１凸部４の頂面４３に形成することが可能であり、目盛層３３とハーフミラー層３４を、第２凸部５の頂面５３に形成することが可能である。これによっても、上述と同様の効果を得ることができる。
【００６９】
また、図４において、文字層３２とハーフミラー層３４を、第１凹部６の底面６３に形成することが可能であり、目盛層３３とハーフミラー層３４を、第２凹部７の底面７３に形成することが可能である。これによっても、上述と同様の効果を得ることができる。
【００７０】
また、上述の例では、凸部４，５，８や凹部６、７を形成したが、これらを形成しないことも可能である。これによっても、上述と同様の効果を得ることができる。
【００７１】
また、金属調のハーフミラー層３４の代わりに、光透過性と光反射性とを有して非金属調の半透光層を形成することも可能である。これによっても、上述と同様の効果を得ることができる。
【００７２】
尚、上述した例に限らないで、これらの組み合わせや、他の種々の変形例が考えられる。
【図面の簡単な説明】
【００７３】
【図１】図１は、本発明の一実施形態による計器用表示板である文字盤１を備えるコンビネーションメータ１０の部分正面図である。
【図２】図２は、図１中のＩＩ部の拡大図である。
【図３】図３は、図２中のＩＩＩ−ＩＩＩ線拡大断面図である。
【図４】図４は、図３の変形例を示す拡大断面図である。
【図５】図５は、図１の変形例を示す正面図である。
【図６】図６は、図５中のＶＩ−ＶＩ線拡大断面図である。
【符号の説明】
【００７４】
１０  コンビネーションメータ、１  文字盤（計器用表示板）、２  基板
２１  目視側前面、２２  背面、３１  第１背景層（背景層）、３２  文字層（表示層）
３３  目盛層（表示層）、３４  ハーフミラー層（半透光層）、３５  第２背景層
３５１  開口、３６  ウォーニング層（表示層）、４  第１凸部（凸部）
４１  側面、４２  側面層、４３  頂面、５  第２凸部（凸部）、５１  側面
５２  側面層、５３  頂面、６  第１凹部（凹部）、６１  側面、６２  側面層
６３  底面、７  第２凹部（凹部）、７１  側面、７２  側面層、７３  底面
８  第３凸部（凸部）、８１  側面、８２  側面層、８３  頂面、８４  上面
２０  指針、３０、５０  発光ダイオード、４０  プリント基板
【図１】
2009068860.tif 000003
【図２】
2009068860.tif 000004
【図３】
2009068860.tif 000005
【図４】
2009068860.tif 000006
【図５】
2009068860.tif 000007
【図６】
2009068860.tif 000008